【手続補正書】
【提出日】平成22年5月21日(2010.5.21)
【手続補正１】
【補正対象書類名】明細書
【補正対象項目名】全文
【補正方法】変更
【補正の内容】
【発明の詳細な説明】
【発明の名称】基板収納ケースを備えた遊技機
【技術分野】
【０００１】
本発明は、基板収納ケースを備えたパチンコ遊技機やスロットマシンなどの遊技機に関するものである。
【背景技術】
【０００２】
一般に、この種遊技機には所定個所にその遊技動作を制御する回路基板を内装した基板収納ケースが取り付けられる。
【０００３】
しかしながら、近時パチンコホールにおいて回路基板のＲＯＭを勝手に改造してゲームに賭博性を持たせるといった不正行為が頻発しており、これを防止するため、回路基板を収容する基板収容ケースの第１ケース部材と第２ケース部材とに跨がるようにして破損し易い封印紙を貼着し、該封印紙が破損していた場合には不正なＲＯＭ交換が行なわれたとみなしていた。ところが、封印紙を巧妙に剥がし内部のＲＯＭを交換した後、再度封印紙を元の通りに貼り付けておくといった不正行為が行なわれ、封印紙を見ただけでは前記不正が行なわれたか否かが分り難いという課題が生じている。
【０００４】
【０００５】
【０００６】
【発明の開示】
【発明が解決しようとする課題】
【０００７】
本発明は上記した課題に鑑みてなされたもので、基板収納ケースの内部に収納された回路基板のＲＯＭ等を交換して勝手に改造するといった不正行為を抑制し得る基板収納ケースを備えた遊技機を提供することを目的とするものである。
【課題を解決するための手段】
【０００８】
かかる目的を達成するため本発明は、遊技機の制御部品と該制御部品に電気的に接続されるコネクタとを搭載した回路基板と、第１ケース部材と、該第１ケース部材と合体し該第１ケース部材と共に前記回路基板を収容する第２ケース部材と、を有する基板収納ケースを備えた遊技機において、前記回路基板は、前記制御部品を配設した制御部品搭載部と、前記回路基板の側縁部に複数のコネクタを列状に配設したコネクタ搭載部とを基板上に備え、前記第１ケース部材は、前記回路基板を収容した前記基板収納ケースにおいて前記制御部品搭載部と対向する表板と、前記回路基板を収容した前記基板収納ケースにおいて前記表板から前記回路基板側に延設される側壁と、通孔を有する複数の第１封印部と、該第１封印部と前記第１ケース部材とを連結すると共に、前記第１封印部よりも細幅に形成された切断部と、を備え、前記側壁は、前記回路基板を収容した前記基板収納ケースにおいて前記制御部品搭載部と前記コネクタ搭載部とを区分する仕切側壁部を備え、該仕切側壁部は、該仕切側壁部と一体形成され、前記コネクタ搭載部の基板面を覆うと共に、コネクタに対応した形状の複数のコネクタ開口が設けられたコネクタ搭載部カバー部を備え、前記第１封印部、前記切断部、前記仕切側壁部及び前記コネクタ搭載部カバー部が合成樹脂により一体形成され、前記第２ケース部材は、前記複数の第１封印部に対応して複数設けられ、挿入孔を有する第２封印部を備えるものであり、前記基板収納ケースは、前記回路基板を収容した後に、前記第１ケース部材と前記第２ケース部材とを相対的に所定方向にはめ合わせて前記基板収納ケースを形成し、前記第１封印部の前記通孔と、該第１封印部に対応する前記第２封印部の前記挿入孔に、前記所定方向と交差する方向から封印具を挿入して封印するものであり、封印状態にある前記第１封印部と前記第１ケース部材とを連結する切断部を切断した場合は前記封印具の挿入による封印状態の解除が可能であり、前記切断部は、前記第１ケース部材の前記表板側から視認可能であり、前記封印具の挿入による封印状態の解除のために前記切断部を切断した場合に、その切断された切断部に対応する前記第１封印部と、その第１封印部に挿入された前記封印具とが、前記基板収納ケースに残存する構成とした。
【０００９】
【００１０】
【００１１】
【発明の効果】
【００１２】
本発明の遊技機における基板収納ケースは、遊技機の制御部品と該制御部品に電気的に接続されるコネクタとを搭載した回路基板と、第１ケース部材と、該第１ケース部材と合体し該第１ケース部材と共に前記回路基板を収容する第２ケース部材と、を有し、前記回路基板は、前記制御部品を配設した制御部品搭載部と、前記回路基板の側縁部に複数のコネクタを列状に配設したコネクタ搭載部とを基板上に備え、前記第１ケース部材は、前記回路基板を収容した前記基板収納ケースにおいて前記制御部品搭載部と対向する表板と、前記回路基板を収容した前記基板収納ケースにおいて前記表板から前記回路基板側に延設される側壁と、通孔を有する複数の第１封印部と、該第１封印部と前記第１ケース部材とを連結すると共に、前記第１封印部よりも細幅に形成された切断部と、を備え、前記側壁は、前記回路基板を収容した前記基板収納ケースにおいて前記制御部品搭載部と前記コネクタ搭載部とを区分する仕切側壁部を備え、該仕切側壁部は、該仕切側壁部と一体形成され、前記コネクタ搭載部の基板面を覆うと共に、コネクタに対応した形状の複数のコネクタ開口が設けられたコネクタ搭載部カバー部を備え、前記第１封印部、前記切断部、前記仕切側壁部及び前記コネクタ搭載部カバー部が合成樹脂により一体形成され、前記第２ケース部材は、前記複数の第１封印部に対応して複数設けられ、挿入孔を有する第２封印部を備えるものであり、前記基板収納ケースは、前記回路基板を収容した後に、前記第１ケース部材と前記第２ケース部材とを相対的に所定方向にはめ合わせて前記基板収納ケースを形成し、前記第１封印部の前記通孔と、該第１封印部に対応する前記第２封印部の前記挿入孔に、前記所定方向と交差する方向から封印具を挿入して封印するものであり、封印状態にある前記第１封印部と前記第１ケース部材とを連結する切断部を切断した場合は前記封印具の挿入による封印状態の解除が可能であり、前記切断部は、前記第１ケース部材の前記表板側から視認可能であり、前記封印具の挿入による封印状態の解除のために前記切断部を切断した場合に、その切断された切断部に対応する前記第１封印部と、その第１封印部に挿入された前記封印具とが、前記基板収納ケースに残存するので、基板収納ケースの内部に収納された回路基板の制御部品を交換して勝手に改造するといった不正行為を抑制し得る。
【００１３】
【００１４】
【発明を実施するための最良の形態】
【００１５】
以下、本発明に係る遊技機における基板収納ケースの実施の形態を図面と共に説明する。なお、遊技盤にはパチンコ遊技機，スロットマシン等が有るが、その一例としてパチンコ遊技機について説明する。図１は本発明が適用されるパチンコ遊技機の裏面図である。図中、１は機枠であり、該機枠１に装着される前面枠２の裏面に遊技盤取付枠３が固着され、該遊技盤取付枠３に遊技盤４が装着されている。そして、遊技盤取付枠３の一側には遊技盤４の裏面全体を覆う合成樹脂製の機構板５が開閉自在に装着されている。
【００１６】
前記機構板５の裏面にはその上部にパチンコ球を貯留する景品球タンク６，該景品球タンク６から流下するパチンコ球を整列流下させるタンクレール７，またその一側部に該タンクレール７から流下する景品球の球圧を弱めるカーブ樋８，該カーブ樋８からパチンコ球を受け入れる景品球払出装置９，該景品球払出装置９から払い出された所定個数のパチンコ球を誘導する景品球排出樋１０等がそれぞれ配設されている。
【００１７】
また、前記機構板５のほぼ中央に窓口１１が開設され、該窓口１１に臨んで前記遊技盤４の裏面と対応する機構板５の前側に図２に示すように入賞球集合カバー１２が設けられ、該入賞球集合カバー１２の裏面に突設した取付台１３に本発明に係わる基板収納ケース１４が装着されている。なお、１５は遊技盤４面に設けられた可変表示装置（図示せず。）の後方部分を覆い保護する保護カバーである。
【００１８】
前記基板収納ケース１４は、図３及び図４に示すように前記取付台１３に取り付けられる台板１６と、該台板１６の前面に固着されパチンコ遊技機の遊技状態を制御する回路基板１７と、前記台板１６とほぼ同じ大きさからなり回路基板１７を覆うようにして台板１６に取り付けられる箱状のカバー体１８とからなる。
【００１９】
前記台板１６は回路基板１７に合致する縦長長方形の金属板１６ａからなり、該金属板１６ａの四隅角部にねじ孔１９を穿設した突起２０，２０…が設けられている。そして、金属板１６ａの上下両側端縁のほぼ中央に前記取付台１３に取り付けるための取付孔２１を備えた取付片２２，２２が突設され、これらの取付片２２，２２を挟んだ左右両側に前方へ直角に折り曲がる取付板２３，２３が設けられている。また、各取付板２３，２３…にはそれぞれ間隔を置いてねじ孔２４，２４が２個ずつ貫設されている。
【００２０】
また、前記回路基板１７は周知のように縦長長方形をなすプリント配線基板よりなり、その上面にＲＯＭ２５，ＣＰＵ２６及びその他各種の電子部品２７が関連付けられて配置されている。２８，２８…は回路基板１７の一側に複数列設された入出力用コネクターである。また、回路基板１７の四隅角部に前記台板１６の各ねじ孔１９，１９…と連通する止着孔２９，２９…が貫設してある。
【００２１】
更に、前記カバー体１８は合成樹脂材からなり、台板１６の金属板１６ａに対応した形状をなす表板１８ａの上下両側端縁のほぼ中央に、台板１６に突設された取付片２２，２２の横巾に対応する横巾と所要の長さとを持ったカバー片３０，３０が後方へ直角に折り曲げて突出され、これらのカバー片３０，３０を挟んだ左右両側に前記台板１６の各取付板２３，２３…の外側面にそれぞれ重合する切離し片部３１，３１…が２枚ずつ直角に折り曲げて設けられている。これら各切離し片部３１，３１はそれぞれ基端部の両側に切り込み３２，３２を設けて切離し可能な切断部３３，３３が形成され、該切断部３３からニッパー等の工具により切断し易くしている。また、各切離し片部３１，３１…には前記各ねじ孔２４，２４…に連通する通孔３４，３４…が貫設されている。
【００２２】
また、前記表板１８ａの左右両側に前記カバー片３０，３０と同じ長さの側壁３５，３６が直角に折り曲げて設けられ、その内、右側壁３６はその先端縁部に外方へ膨出する段部を有し前記回路基板１７の一側に列設した各入出力用コネクター２８，２８…に被着されるコネクターカバー部３７が一体的に形成されている。該コネクターカバー部３７の上面には各入出力用コネクター２８，２８…に対応させて複数の開口３８，３８…が開設されている。なお、前記表板１８ａには基板収納ケース１４内の熱を放散するためスリット状の放熱孔３９が多数開設されている。
【００２３】
本発明に係る基板収納ケース１４は上記構成よりなり、まず前記回路基板１７を台板１６の金属板１６ａの前面に重ね、各止着孔２９，２９…を介しビス４０，４０…を各突起２０，２０…のねじ孔１９，１９…に螺締して回路基板１７を台板１６に固着する。次に、前記回路基板１７を覆うようにして台板１６にカバー体１８を被せる。そして、図３，図５に示すように基板収納ケース１４の上下両端側でそれぞれ右端に位置する切離し片部３１（３１ａ），３１（３１ａ）の通孔３４を介して取付板２３，２３の各ねじ孔２４，２４に抜脱不能な固定ねじ４１を螺締する。この固定ねじ４１は、図７に示すように頭部４１ａにおける十字穴４２のそれぞれ一側（左側）が切り欠いてあり、例えば十文型のドライバーで螺子締めする場合、右方向へ回転して螺締めすることはできるが、左方向へ回転させようとしても引っかかりがなくて回転し得えず、これによって取り外しが不可能になっている。また、ねじ部４１ｂは２条ねじであって、しかもねじ山角が非対称に成形されている。
【００２４】
これにより、図５，図６に示すように各取付板２３，２３に各切離し片部３１ａ，３１ａが一体に重合固着され、しかも上下両端縁における取付板２３，２３間はカバー片３０，３０で覆われ、さらに、左右両端縁は各側壁３５，３６で覆われることとなり、これにより回路基板１７がカバー体１８内に密封される。そこで、この状態では各固定ねじ４１，４１…が外せないことから、不正を行うには切離し片部３１ａ，３１ａを無理に破断することとなり、その痕跡が明らかに残ってしかもその隠蔽も極めて困難であるため不正行為が行いにくい。また、その不正は容易に発見でき責任の所在も明確化される。
【００２５】
ところで、前記基板収納ケース１４は基板収納ケースの製造メーカーから遊技機製造メーカーに納入され、該遊技機製造メーカーで回路基板１７を基板収納ケース１４に収め、更に固定ねじ４１，４１…で基板収納ケース１４を密封する。そして、このようにして密封された基板収納ケース１４はパチンコ遊技機の裏面に取付孔２１を介してビス４３を螺締することにより装着され、可変表示装置など各種部品から引き出される配線４４先端の接続用コネクター４５，４５…がコネクターカバー部３７の各開口３８，３８…を介して各入出力用コネクター２８，２８…に接続される。なお、基板収納ケース１４には基板管理番号シールを兼ねた検査履歴書を貼着して遊技機製造メーカーが前記基板管理番号シールへ管理番号を記入して回路基板の管理を行なえるようにする。
【００２６】
遊技機製造メーカーまたはパチンコ遊技機が納入されたパチンコホールで基板収納ケース１４を検査するには、ニッパー等の工具を用いて上下両側端縁の各切離し片部３１ａ，３１ａをその切断部３３，３３から切断して切り離し、図８に示すようにカバー体１８を開放してＲＯＭ２５を検査する。検査後は再びカバー体１８を取り付け、図９に示すように次の各切離し片部３１ｂ，３１ｂ…の通孔３４，３４…を介して各取付板２３，２３…のねじ孔２４，２４…に固定ねじ４１，４１…を螺締する。このようにしてＲＯＭ２５の検査が３回行なえるようになっている。なお、その都度検査者により検査履歴書へ記入するようにすれば、検査履歴書の把握が可能となる。
【００２７】
また、前記回路基板１７の各入出力用コネクター２８，２８…は図６に示されるようにカバー体１８に一体に設けられるコネクターカバー部３７により覆われ安全に保護されるので、各入出力用コネクター２８，２８…が取扱上において破損するといったことがなく、しかも、各開口３８，３８…は各入出力用コネクター２８，２８…に接続用コネクター４５，４５…を接続する際のガイドとなってその接続が容易に行なえる。更に、このように回路基板１７全体がカバー体１８によりほぼ完全に覆われることとなるので、基板収納ケース１４内にゴミが入りにくく回路基板１７の故障も少ない。
【図面の簡単な説明】
【００２８】
【図１】本発明が適用されるパチンコ遊技機の裏面図。
【図２】図１の一部拡大斜視図。
【図３】基板収納ケースの斜視図。
【図４】基板収納ケースの分解斜視図。
【図５】図３のＸ−Ｘ線断面図。
【図６】図３のＹ−Ｙ線断面図。
【図７】固定ねじの斜視図。
【図８】切離し片部を切断してカバー体を開放した状態の基板収納ケースの斜視図。
【図９】同再封止した状態の基板収納ケースの斜視図。
【符号の説明】
【００２９】
１４            基板収納ケース
１６            台板（第２ケース部材）
１７            回路基板
１８            カバー体（第１ケース部材）
１８ａ          表板
２３            取付板（第２封印部）
２４            ねじ孔
２５            ＲＯＭ（制御部品）
２６            ＣＰＵ（制御部品）
２８            入出力用コネクター
３１            切離し片部（第１封印部）
３３            切断部
３４            通孔
３５            側壁
３６            側壁（仕切側壁部）
３７            コネクターカバー部（コネクタ搭載部カバー部）
３８            開口
４１            固定ねじ（封印具）
４５            接続用コネクター
【手続補正２】
【補正対象書類名】特許請求の範囲
【補正対象項目名】全文
【補正方法】変更
【補正の内容】
【特許請求の範囲】
【請求項１】
遊技機の制御部品と該制御部品に電気的に接続されるコネクタとを搭載した回路基板と、第１ケース部材と、該第１ケース部材と合体し該第１ケース部材と共に前記回路基板を収容する第２ケース部材と、を有する基板収納ケースを備えた遊技機において、
前記回路基板は、前記制御部品を配設した制御部品搭載部と、前記回路基板の側縁部に複数のコネクタを列状に配設したコネクタ搭載部とを基板上に備え、
前記第１ケース部材は、
前記回路基板を収容した前記基板収納ケースにおいて前記制御部品搭載部と対向する表板と、
前記回路基板を収容した前記基板収納ケースにおいて前記表板から前記回路基板側に延設される側壁と、
通孔を有する複数の第１封印部と、
該第１封印部と前記第１ケース部材とを連結すると共に、前記第１封印部よりも細幅に形成された切断部と、を備え、
前記側壁は、前記回路基板を収容した前記基板収納ケースにおいて前記制御部品搭載部と前記コネクタ搭載部とを区分する仕切側壁部を備え、
該仕切側壁部は、該仕切側壁部と一体形成され、前記コネクタ搭載部の基板面を覆うと共に、コネクタに対応した形状の複数のコネクタ開口が設けられたコネクタ搭載部カバー部を備え、
前記第１封印部、前記切断部、前記仕切側壁部及び前記コネクタ搭載部カバー部が合成樹脂により一体形成され、
前記第２ケース部材は、前記複数の第１封印部に対応して複数設けられ、挿入孔を有する第２封印部を備えるものであり、
前記基板収納ケースは、
前記回路基板を収容した後に、前記第１ケース部材と前記第２ケース部材とを相対的に所定方向にはめ合わせて前記基板収納ケースを形成し、
前記第１封印部の前記通孔と、該第１封印部に対応する前記第２封印部の前記挿入孔に、前記所定方向と交差する方向から封印具を挿入して封印するものであり、
封印状態にある前記第１封印部と前記第１ケース部材とを連結する切断部を切断した場合は前記封印具の挿入による封印状態の解除が可能であり、
前記切断部は、前記第１ケース部材の前記表板側から視認可能であり、
前記封印具の挿入による封印状態の解除のために前記切断部を切断した場合に、その切断された切断部に対応する前記第１封印部と、その第１封印部に挿入された前記封印具とが、前記基板収納ケースに残存することを特徴とする基板収納ケースを備えた遊技機。